(57)【要約】【課題】貯留浸透施設にかかる荷重を分散し、かつ、不陸に対応することができる貯留浸透施設およびそれを備えた側溝構造体を提供する。【解決手段】地中に埋設される貯留浸透施設１Ａは、水を貯留可能な貯留材１０Ａと、貯留材１０Ａの上に配置され、透水性を有する緩衝板３０と、を備えている。緩衝板３０は、貯留材１０Ａと直接または間接的に接する弾性体４０を有している。【選択図】図１
2014125828.tif 000002
【特許請求の範囲】
【請求項１】
地中に埋設される貯留浸透施設であって、
水を貯留可能な貯留材と、
前記貯留材の上に配置され、透水性を有する緩衝板と、
を備え、
前記緩衝板は、前記貯留材と直接または間接的に接する弾性体を有している、貯留浸透施設。
【請求項２】
前記貯留材は複数設けられ、
前記複数の貯留材は、横に並ぶように配置され、
前記緩衝板は、前記複数の貯留材の上に配置されている、請求項１に記載の貯留浸透施設。
【請求項３】
前記複数の貯留材は、縦に並ぶように積み重ねて配置され、
前記緩衝板は、前記複数の貯留材のうち、最も上に配置されている貯留材の上に配置されている、請求項２に記載の貯留浸透施設。
【請求項４】
前記弾性体は複数設けられ、
前記緩衝板は、前記複数の弾性体が取り付けられかつ複数の孔が形成されたベース板を備えている、請求項１〜３の何れか一つに記載の貯留浸透施設。
【請求項５】
前記ベース板は、樹脂材料によって構成されている、請求項４に記載の貯留浸透施設。
【請求項６】
前記緩衝板と前記貯留材との間に配置され、前記緩衝板と前記貯留材との間の周囲の少なくとも一部を封止するシール部材を備えている、請求項１〜５の何れか一つに記載の貯留浸透施設。
【請求項７】
前記貯留材は、樹脂材料によって構成されている、請求項１〜６の何れか一つに記載の貯留浸透施設。
【請求項８】
前記緩衝板の側端部から外側へ拡がる雨水受けを備えている、請求項１〜７の何れか一つに記載の貯留浸透施設。
【請求項９】
請求項１〜８の何れか一つに記載の貯留浸透施設と、
前記貯留浸透施設の前記緩衝板の上に配置され、透水性を有する側溝と、
を備える、側溝構造体。
【請求項１０】
前記側溝は、複数の側溝ブロックから構成され、
前記側溝ブロックは、孔が形成された底壁を備え、
前記側溝ブロックの底壁と前記緩衝板との間であってかつ前記底壁の孔の両側方にそれぞれ配置され、前記側溝の長手方向に延びるシール部材を備えている、請求項９に記載の側溝構造体。
【発明の詳細な説明】
【技術分野】
【０００１】
本発明は、貯留浸透施設およびそれを備えた側溝構造体に関する。
【背景技術】
【０００２】
従来から、雨水等を一時的に貯留してから地中に浸透させる貯留浸透槽等のように、地中に埋設される貯留浸透施設が知られている。一般的にこの種の貯留浸透施設は、地表面を掘って形成した穴（以下、ピットという）に透水性のシートを敷き、そのシートの上に樹脂材料等から構成された複数の貯留材を配置した後、それら貯留材の上にシートを被せることによって構成される。貯留浸透施設の設置後はシートの上に土を載せ、ピットを埋めることによって貯留浸透施設は埋設される。
【０００３】
また、道路上の雨水等を地中に浸透させるために、道路の側部に浸透側溝が配置され、上記浸透側溝の下に貯留浸透施設が配置されている浸透側溝構造体が知られている。この種の浸透側溝構造体の例として、特許文献１には、貯留浸透施設（浸透貯水槽）の上に透水性の床板を介して浸透側溝が載置されている浸透側溝構造体が開示されている。この透水性の床板は、穴あきコンクリート床板または透水性コンクリート床板であり、施工現場で作られている。また、この透水性の床板は、荷重分散板として機能しており、浸透側溝の上に大きな集中荷重が作用しても、樹脂材料から構成されている貯留浸透槽の貯留材が変形することを防止している。
【先行技術文献】
【特許文献】
【０００４】
【特許文献１】特開２０１０−１２７０５２号公報
【発明の概要】
【発明が解決しようとする課題】
【０００５】
ところで、施工現場の事情によっては、ピット内に不陸（すなわち、表面の凹凸）が生じることがあり、その不陸に応じて少なくとも一部の貯留材を鉛直方向から多少傾いた姿勢で配置される場合がある。このような不陸が生じているピット内に貯留浸透施設を配置する場合、貯留材同士の上面が面一にならないため、貯留浸透施設の貯留材の上面が凸凹になること、または、貯留浸透施設の貯留材の上面が地表面に対して傾斜することがある。そのため、このように配置された貯留材の上に、特許文献１に記載の透水性の床板を介して浸透側溝を配置すると、浸透側溝の上面と地表面とが面一にならないおそれがある。また、上記床板はコンクリート製であるため、貯留浸透施設の上面に凸凹が生じていると、本来、上記床板と貯留材とが接触すべき箇所が接触せずに隙間ができることがある。また、浸透側溝上に大きな集中荷重が作用した場合、上記隙間が生じているため貯留材の床板と接触している特定の一部分に局所的に大きな荷重が掛かってしまい、好適な荷重分散ができず、貯留材が変形することがある。一方、ピット内に不陸が生じた場合、上記床板を不陸に対応した形状に形成することが考えられる。すなわち、貯留浸透施設の貯留材の上面に沿うように、かつ、上記床板の上面が略水平になるように、施工現場において上記床板を作ることが考えられる。しかし、ピット内の不陸はその不陸ごとに形状が異なるため、その不陸に対応した床板を作ると、手間と時間を要することになる。
【０００６】
本発明は、かかる点に鑑みてなされたものであり、その目的とするところは、貯留浸透施設にかかる荷重を分散し、かつ、不陸に対応することができる貯留浸透施設およびそれを備えた側溝構造体を提供することである。
【０００７】
本発明に係る貯留浸透施設は、地中に埋設される貯留浸透施設である。前記貯留浸透施設は、水を貯留可能な貯留材と、前記貯留材の上に配置され、透水性を有する緩衝板と、を備えている。前記緩衝板は、前記貯留材と直接または間接的に接する弾性体を有している。
【０００８】
本発明によれば、貯留材の上に緩衝板が配置されているので、上方から大きな集中荷重がかかった場合、その集中荷重を緩衝板によって分散させることができ、貯留材に大きな力が加わることを防止することができる。緩衝板は透水性を有しているため、緩衝板を介して雨水等を貯留材に導入することができる。緩衝板は貯留材と直接または間接的に接する弾性体を有しているので、不陸によって貯留材の上面が水平面から傾いている場合、その傾きを打ち消すように弾性体が弾性変形することにより、緩衝板の上面を略水平にすることができる。よって、緩衝板と貯留材とが直接または間接的に均一に接触し、貯留材の一部に局所的に大きな荷重が加わることを防止することができる。また、緩衝板の弾性体により、貯留材に衝撃荷重が加わることを抑制することができる。よって、本発明によれば、貯留材が変形すること、または、壊れることを防止することができる。
【０００９】
本発明の好ましい一態様によれば、前記貯留材は複数設けられている。前記複数の貯留材は、横に並ぶように配置されている。前記緩衝板は、前記複数の貯留材の上に配置されている。
【００１０】
複数の貯留材が横に並ぶように配置されている場合、ピット内の不陸による影響が大きくなり易い。ピット内に不陸があると貯留材同士が揃いにくくなり、緩衝板がコンクリート製の場合、本来、緩衝板と貯留材とが直接または間接的に接するべき箇所に空間ができ、緩衝板が貯留材に対して均一に接しないおそれがある。しかし、緩衝板が上記弾性体を備えることにより、弾性体が変形することによって上記空間がなくなり、緩衝板の弾性体と貯留材とが直接または間接的に均一に接する。その結果、貯留材にかかる荷重を良好に分散させることができる。また、貯留材が多少傾いていたとしても、緩衝板の上面を略水平に保つことができ、緩衝板が地表面からの荷重を好適に受け止めることができる。
【００１１】
本発明の好ましい他の一形態によれば、前記複数の貯留材は、縦に並ぶように積み重ねて配置されている。前記緩衝板は、前記複数の貯留材のうち、最も上に配置されている貯留材の上に配置されている。
【００１２】
複数の貯留材が縦に並ぶように積み重ねて横方向に配置される場合、ピット内の不陸による影響がさらに大きくなり易い。そのため、ピット内に不陸があると貯留材同士がさらに重なり合わなくなる。しかし、緩衝板が上記弾性体を備えることにより、弾性体が変形することによって、緩衝板の弾性体と貯留材とが直接または間接的に均一に接する。その結果、貯留材にかかる荷重を良好に分散させることができる。また、貯留材が多少傾いていたとしても、緩衝板の上面を略水平に保つことができ、緩衝板が地表面からの荷重を好適に受け止めることができる。
【００１３】
本発明の好ましい他の一態様によれば、前記弾性体は複数設けられている。前記緩衝板は、前記複数の弾性体が取り付けられかつ複数の孔が形成されたベース板を備えている。
【００１４】
このことによって、弾性体は複数設けられているため、緩衝板は貯留材の上面の凸凹に追従して弾性変形しやすくなる。地表面からの集中荷重がかかった場合、貯留材にかかる荷重を好適に分散させることができる。また、ベース板には複数の孔が形成されているため、雨水等がベース板の複数の孔を通過することによって、雨水等を貯留材に導入することができる。
【００１５】
本発明の好ましい他の一態様によれば、前記ベース板は、樹脂材料によって構成されている。
【００１６】
上記ベース板は樹脂材料によって構成されているので、コンクリートによって構成されている緩衝板と異なり、軽量である。よって、事前に緩衝板を作製しておき、作製した緩衝板を施工現場に運搬することが容易である。したがって、施工現場での作業負担を軽減することができる。
【００１７】
本発明の好ましい他の一態様によれば、前記緩衝板と前記貯留材との間に配置され、前記緩衝板と前記貯留材との間の周囲の少なくとも一部を封止するシール部材を備えている。
【００１８】
シール部材によって、緩衝板を通った雨水等が貯留材に流れ込まずに外へ流れ出ることを防ぐことができる。その結果、貯留材に雨水等を好適に貯めることができる。
【００１９】
本発明の好ましい他の一態様によれば、前記貯留材は、樹脂材料によって構成されている。
【００２０】
樹脂材料によって構成される貯留材は、集中荷重がかかった場合、変形し易い。しかし、貯留材の上に前記緩衝板を配置することで、貯留材にかかる荷重を分散することができるため、貯留材が変形すること、または、壊れることを防止することができる。
【００２１】
本発明の好ましい他の一態様によれば、前記緩衝板の側端部から外側へ拡がる雨水受けを備えている。
【００２２】
雨水受けによって、緩衝板の上から流れてくる雨水等だけでなく、緩衝板の斜め上から流れてくる雨水等を貯留材に導入することができる。その結果、より多くの雨水等を貯留材に導入することができる。
【００２３】
本発明の側溝構造体は、上述した何れかの貯留浸透施設と、前記貯留浸透施設の前記緩衝板の上に配置され、透水性を有する側溝と、を備えているものである。
【００２４】
本発明の側溝構造体によれば、不陸が生じたピット内に貯留材を配置する場合、貯留材の上に弾性体を有する緩衝板が配置されているため、緩衝板の上面は略水平となる。そのため、緩衝板の上に側溝を配置した場合、側溝の上面と地表面とが面一になり易い。また、緩衝板と貯留材とが均一に接しているため、側溝がぐらつくことなく緩衝板の上に配置される。貯留材の上に側溝を配置しているため、貯留材には側溝自体の荷重および地上からの荷重がかかることになる。しかし、貯留材と側溝との間には緩衝板があるため、貯留材にかかる荷重を分散することができる。その結果、貯留材が変形すること、または、壊れることを防止することができる。
【００２５】
本発明の好ましい一態様によれば、前記側溝は、複数の側溝ブロックから構成されている。前記側溝ブロックは、孔が形成された底壁を備えている。前記側溝構造体は、前記側溝ブロックの底壁と前記緩衝板との間であってかつ前記底壁の孔の両側方にそれぞれ配置され、前記側溝の長手方向に延びるシール部材を備えている。
【００２６】
このように側溝ブロックの底壁と緩衝板との間にシール部材を配置することによって、側溝から流れる雨水等が緩衝板の外へ流れることを防止することができる。その結果、側溝からの雨水等を緩衝板を介して貯留材に効率よく導入することができる。
【発明の効果】
【００２７】
本発明によれば、貯留浸透施設にかかる荷重を分散し、かつ、不陸に対応することができる貯留浸透施設およびそれを備えた側溝構造体を提供することができる。
【図面の簡単な説明】
【００２８】
【図１】第１実施形態に係る貯留浸透槽を示す側面図である。
【図２】複数配置された貯留材を示す平面図である。
【図３】緩衝板を示す平面図である。
【図４】図３のＩＶ−ＩＶ線の断面図である。
【図５】ピットに不陸が生じた場合の貯留材および緩衝板を示す図である。
【図６】第２実施形態に係る側溝構造体を示す正面図である。
【図７】第２実施形態に係る側溝構造体を示す側面図である。
【図８】第２実施形態に係る側溝構造体を示す平面図である。
【図９】雨水受けを示す図であり、図９（ａ）は雨水受けの側面図であり、図９（ｂ）は雨水受けの平面図である。
【図１０】第１変形例に係る緩衝板を示す図であり、図１０（ａ）は緩衝板の側面図であり、図１０（ｂ）は緩衝板の平面図である。
【図１１】第２変形例に係る緩衝板を示す図であり、図１１（ａ）は緩衝板の分解斜視図であり、図１１（ｂ）は緩衝板の斜視図である。
【図１２】第３変形例に係る緩衝板を示す図であり、図１２（ａ）は緩衝板の分解斜視図であり、図１２（ｂ）は緩衝板の斜視図である。
【図１３】第４変形例に係る緩衝板を示す斜視図である。
【発明を実施するための形態】
【００２９】
以下、本発明の好適な実施形態について説明する。なお、本明細書において特に言及している事項以外の事柄であって本発明の実施に必要な事柄は、該分野における従来技術に基づく当業者の設計事項として把握され得る。本発明は、本明細書に開示されている内容と該分野における技術常識とに基づいて実施することができる。
【００３０】
＜第１実施形態＞
以下、図面を参照しながら、本発明に係る貯留浸透施設の実施形態について説明する。図１は、本実施形態に係る貯留浸透施設１Ａを示す側面図である。
【００３１】
図１に示すように、本実施形態に係る貯留浸透施設は、地中に埋設され、雨水を一時的に貯留してから地中に浸透させる雨水貯留浸透槽（以下、単に貯留浸透槽という）１Ａである。本実施形態では、貯留浸透槽１Ａは、土を被せることによって地中に埋設されている。貯留浸透槽１Ａは、互いに並ぶように配置された複数の貯留材１０Ａと、複数の貯留材１０Ａの上に配置される緩衝板３０と、複数の貯留材１０Ａを覆う透水性のシート２と、を備えている。本実施形態では、シート２には、厚みが４ｍｍ以下の樹脂製のシートが用いられている。ただし、シート２の厚みおよび材料は特に限定されない。貯留浸透槽１Ａの貯留材１０Ａは、地表面を掘って形成したピット５に敷かれた透水性のシート２の中に配置されている。なお、図１において、符号ＧＬとは地表面のことである。
【００３２】
貯留材１０Ａは、水を貯留可能な部材である。本実施形態では、貯留材１０Ａは、雨水を一時的に貯めるための部材である。貯留材１０Ａの内部には空間が形成され、この空間は内部から外部へ開放されている。図２は、複数の貯留材１０Ａを示す平面図である。図２に示すように、貯留材１０Ａは、側板１４と、天板１５とを備えている。天板１５は、側端部の一部が内側に凹んだ形状をした板である。側板１４は、天板１５の側端部の形状に沿い、天板１５の側端部から下方に延びている。側板１４は、一部が内側に凹み、下方にいくほど徐々に幅方向に拡がる板である。貯留材１０Ａの内部の空間は、側板１４と天板１５とで囲まれている。貯留材１０Ａは、その内部に空間が形成されていればよく、その形状は特に限定されない。本実施形態では、貯留材１０Ａは、側板１４および天板１５によって形成され、底が開口しているハット形状である。なお、貯留材１０Ａにおける「空間」とは、雨水等を一時的に貯留浸透槽１Ａ内に貯めることができる空間である。そのため、上記空間は、貯留材１０Ａの内部に複数あってもよいし、上記空間の大きさは特に限定されない。例えば、細かな孔が空いた多孔質の物体（例えば、スポンジ）であってもよい。この場合、上記細かな孔が「空間」となる。本実施形態では、側板１４と天板１５とは、一体で形成されていているが、別体で形成されていてもよい。貯留材１０Ａは、樹脂材料によって構成されている。すなわち、側板１４および天板１５は、樹脂材料によって構成されている。ただし、貯留材１０Ａの材料は樹脂に限らず、貯留材１０Ａの一部または全部が樹脂以外の材料からなっていてもよい。
【００３３】
貯留材１０Ａには、貯留材１０Ａの内部の空間および外部に繋がる孔１２が形成されている。本実施形態では、貯留材１０Ａの側板１４および天板１５に、複数の透水孔１２が形成されている。この透水孔１２の大きさや形状等は特に限定されず、雨水が通過できる大きさであればよい。本実施形態では、側板１４および天板１５には、様々な大きさおよび形状をした複数の透水孔１２が形成されている。なお、本実施形態に係る貯留材１０Ａに形成されている透水孔１２とは、貯留材１０Ａの内部の空間および外部に繋がる孔であり、雨水が通過できる孔である。例えば、本実施形態の透水孔１２のように、板に形成された孔の他に、棒状の部材によって形成された貯留材の上記棒状の部材によって囲まれた空間であって、上記貯留材の内部の空間と外部とを繋げるものも透水孔１２に含まれる。また、複数の貯留材１０Ａを並べることによって、隣合う貯留材１０Ａの間に形成された空間であっても、その空間に雨水を貯留することが可能である。この場合、隣合う貯留材１０Ａの側板１４および天板１５の間の箇所が透水孔としての役割を担っている。なお、本実施形態では、透水孔１２が貯留材１０Ａの空間を内部から外部へ開放させる役割をしている。
【００３４】
本実施形態では、貯留材１０Ａは複数設けられている。複数の貯留材１０Ａは、横に並ぶように配置されている。また、複数の貯留材１０Ａは、縦に並ぶように積み重ねて配置されている。詳しくは、図１に示すように、貯留材１０Ａは２段になるように積まれており、それぞれの段には、図２に示すように、幅方向に３個、長さ方向に４列並ぶようにして複数の貯留材１０Ａが配置されている。ただし、貯留材１０Ａの個数、段数および並べ方は特に限定されない。
【００３５】
次に、緩衝板３０について説明する。図１に示すように、緩衝板３０は、複数の貯留材１０Ａの上に配置されている。本実施形態では、緩衝板３０は、シート２を介して複数の貯留材１０Ａの上に間接的に配置されている。詳しくは、緩衝板３０は、シート２を介して、複数の貯留材１０Ａのうち、最も上に配置されている貯留材１０Ａの上に間接的に配置されている。緩衝板３０は、シート２に接するように配置されている。緩衝板３０の大きさは、複数の貯留材１０Ａを横に並ぶように配置したときの平面視において、複数の貯留材１０Ａが隠れるような大きさである。図３は、緩衝板３０を示す平面図である。図４は、図３のＩＶ−ＩＶ線の断面図である。図３に示すように、本実施形態の緩衝板３０は、平面視において、略四角形状であるが、その形状は限定されない。緩衝板３０は、後述する弾性体４０と、ベース板３６とを備えている。
【００３６】
弾性体４０は、緩衝板３０に複数設けられている。本実施形態では、弾性体４０は、略円柱形状であって、少なくとも上下方向に伸縮するゴム製の弾性体である。ただし、弾性体４０は、少なくとも上下方向に伸縮する弾性体であればゴム製でなくてもよく、形状も限定されない。図４に示すように、弾性体４０の下部は、下方に突出している。弾性体４０は、貯留材１０Ａと間接的に接している。本実施形態では、弾性体４０は、シート２を介して、下から２段目の貯留材１０Ａの天板１５と間接的に接している。複数の弾性体４０は、長手方向および幅方向に配列されている。複数の弾性体４０は、散点的に配置されている。複数の弾性体４０は、等間隔で配置されている。複数の弾性体４０は、必ずしも等間隔で配置されていなくてもよいが、弾性体４０は、緩衝板３０を貯留材１０Ａの上に配置したとき、貯留材１０Ａの側板１４の上方に位置することが好ましい。すなわち、弾性体４０は、貯留材１０Ａの天板１５の上面のうち、側板１４の上端部とつながっている部分と間接的に接触していることが好ましい。緩衝板３０を貯留材１０Ａの上に配置したとき、複数の弾性体４０は、天板１５の透水孔１２と重ならないように配置されていることが好ましいが、天板１５の透水孔１２と重なっていてもよい。
【００３７】
図３に示すように、緩衝板３０は、ベース板３６を備えている。ベース板３６には、複数の弾性体４０が取り付けられている。本実施形態では、ベース板３６の平面は格子状になっている。詳しくは、ベース板３６は、複数の棒状の支持部材３７と、複数の支持部材３７および弾性体４０を囲む外枠３４とから構成されている。複数の支持部材３７によってベース板３６の格子が形成されている。ただし、ベース板３６の平面は格子状に限定されず、例えば、ベース板３６の上面および／または下面が平坦または凸凹な面であってもよい。支持部材３７の先端には、弾性体４０が取り付けられている。複数の支持部材３７によって、弾性体４０は支持されている。ベース板３６には、複数の透水孔３８が形成されている。透水孔３８には、支持部材３７および弾性体４０によって囲まれた略四角形状の孔と、支持部材３７、弾性体４０および外枠３４によって囲まれた略三角形状の孔とがある。支持部材３７および外枠３４からなるベース板３６は、樹脂材料によって構成されている。ただし、ベース板３６の材料は樹脂に限らず、ベース板３６の一部または全部が樹脂以外の材料から構成されていてもよい。
【００３８】
図４に示すように、本実施形態の貯留浸透槽１Ａは、シール部材４４を備えている。シール部材４４は、緩衝板３０と貯留材１０Ａとの間の周囲の少なくとも一部を封止するものである。シール部材４４は、緩衝板３０と貯留材１０Ａとの間に配置されている。本実施形態では、シール部材４４は、緩衝板３０の外枠３４の下面に取り付けられている。シール部材４４は、複数の支持部材３７および弾性体４０を囲むように、緩衝板３０の外枠３４の下面に取り付けられている。ただし、シール部材４４は、外枠３４の一部の下面にのみ取り付けられていてもよい。シール部材４４は、外枠３４と別体で形成されているが、シール部材４４と外枠３４とは、一体で形成されていてもよい。また、本実施形態では、シール部材４４は、外枠３４の下面に取り付けられているため、シート２の外側に配置されているが、シール部材４４は、外枠３４に取り付けられておらず、シート２の内側に配置され、貯留材１０Ａの上に接していてもよい。この場合、シール部材４４は、シート２を介して緩衝板３０と接している。シール部材４４は、外枠３４以外の緩衝板３０の下面に取り付けられていてもよい。シール部材４４の高さは、特に限定されないが、緩衝板３０を貯留材１０Ａの上に配置したとき、緩衝板３０の弾性体４０が貯留材１０Ａと間接的に接し、かつ、シール部材４４が貯留材１０Ａと間接的に接するような高さであることが好ましい。また、シール部材４４は、貯留材１０Ａと間接的に均一に接していることが好ましいが、シール部材４４の少なくとも一部が貯留材１０Ａと間接的に接していてもよい。本実施形態では、シール部材４４は、弾性体によって構成されている。しかし、緩衝板３０と貯留材１０Ａとの間の少なくとも一部が封止できれば、シール部材４４の材料は限定されない。
【００３９】
次に、本実施形態に係る貯留浸透槽１Ａを地中に埋設する方法について説明する。図１に示すように、先ず、地表面を掘ることでピット５を形成する。そして、形成したピット５に透水性のシート２を敷き、そのシート２の上に複数の貯留材１０Ａを設置する。図２では、幅方向に３個、長さ方向に４列の１段目の貯留材１０Ａを横に並ぶようにシート２の上に配置しているが、実際には幅方向に３個以上、長さ方向に４列以上の貯留材１０Ａを横に並ぶようにシート２の上に配置している。更に、図１に示すように、１段目の貯留材１０Ａの上に２段目の貯留材１０Ａを重ねるように配置する。そして、２段目の貯留材１０Ａの上にシート２を被せ、２段目の貯留材１０Ａの上にシート２を介して緩衝板３０を配置する。このとき、緩衝板３０は、平面視において、複数の貯留材１０Ａが隠れるように貯留材１０Ａの上に配置されている。その後、緩衝板３０の上に土を被せて、貯留浸透槽１Ａを地中に埋設する。
【００４０】
雨水は以下のようにして地中に浸透する。先ず、雨水は、地中に埋設された貯留浸透槽１Ａの上の土に浸透する。この土に浸透した雨水は、緩衝板３０の透水孔３８を通過して、緩衝板３０と貯留材１０Ａとの間のシート２に達する。その後、シート２は透水性を有しているため、雨水は、シート２を通過する。このとき、雨水にはごみ等が混じっていることがあるが、そのごみ等はシート２を通過するときに取り除かれる。シート２を通過した雨水は、貯留材１０Ａの透水孔１２を介して、貯留材１０Ａの内部の空間に一時的に溜まる。その後、雨水は、シート２を介して、シート２の下の地中に浸透する。このようにして、雨水は地中に浸透する。
【００４１】
次に、ピット５に不陸が生じたときの緩衝板３０について説明する。図５は、ピット５に不陸が生じたときの貯留材１０Ａおよび緩衝板３０を示す図である。ただし、図５ではシート２の図示は省略している。施工現場の事情によっては、ピット５内に不陸が生じることがあり、その不陸に応じて少なくとも一部の貯留材１０Ａを鉛直方向から多少傾いた姿勢で配置したい場合がある。ピット５に不陸が生じ、そのピット５にシート２を敷き、そのシート２の上に複数の貯留材１０Ａを配置したとき、図５に示すように、貯留材１０Ａの天板１５の上面が揃っていない場合、すなわち、天板１５の上面の一部が突出したり凹んだりする場合がある。本実施形態では、このような状態であっても、貯留材１０Ａの上にシート２を被せ、貯留材１０Ａの上に緩衝板３０を配置する。
【００４２】
埋設前は緩衝板３０の自重により、埋設後は緩衝板３０の自重および緩衝板３０上の土の重みにより、貯留材１０Ａは緩衝板３０によって下方に押し付けられ、逆に、緩衝板３０は貯留材１０Ａから反発力を受ける。このとき、緩衝板３０の弾性体４０のうち、貯留材１０Ａにおける天板１５の突出した箇所１５Ａに配置されている弾性体４０は、上記突出した箇所の反発力が大きいため、縮むように変形する。一方、緩衝板３０の弾性体４０のうち、天板１５の凹んだ箇所１５Ｂに配置されている弾性体４０は、上記凹んだ箇所１５Ｂの反発力が小さいため、ほとんど縮まない。このように、貯留材１０Ａにおける天板１５の突出した箇所１５Ａに配置されている弾性体４０が変形することによって、貯留材１０Ａの上に配置された緩衝板３０の上面を略水平にすることができる。緩衝板３０の上面が略水平になることによって、緩衝板３０に荷重がかかったとき、荷重を均一に分散させることができる。なお、緩衝板３０の弾性体４０は、ピット５に不陸が生じた場合でも、緩衝板３０の上面を略水平にできるような弾力を有していることが好ましい。
【００４３】
このように、本実施形態では、図１に示すように、貯留浸透槽１Ａは、水を貯留可能な貯留材１０Ａと、貯留材１０Ａの上に配置され、透水性を有する緩衝板３０とを備えている。このことによって、貯留材１０Ａの上に緩衝板３０が配置されているので、上方から大きな集中荷重がかかった場合、その集中荷重を緩衝板３０によって分散させることができ、貯留材１０Ａに大きな力が加わることを防止することができる。緩衝板３０は透水性を有しているため、緩衝板３０を介して地表面から浸透した雨水を貯留材１０Ａの内部に導入することができる。
【００４４】
また、本実施形態の緩衝板３０は、図３に示すように、弾性体４０を有しており、弾性体４０は、シート２を介して貯留材１０Ａと間接的に接している。このことによって、図５に示すように、ピット５内の不陸によって貯留材１０Ａの上面が水平面から傾いている場合、その傾きを打ち消すように弾性体４０が弾性変形することにより、緩衝板３０の上面を略水平にすることができる。よって、緩衝板３０と貯留材１０Ａとが間接的に均一に接触し、貯留材１０Ａの一部に局所的に大きな荷重が加わることを防止することができる。また、緩衝板３０の弾性体４０により、貯留材１０Ａに衝撃荷重が加わることを抑制することができる。よって、貯留材１０Ａが変形すること、または、壊れることを防止することができる。
【００４５】
また、本実施形態では、図１に示すように、複数の貯留材１０Ａが横に並ぶように配置されており、緩衝板３０は、複数の貯留材１０Ａの上に配置されている。複数の貯留材１０Ａが横に並ぶように配置されることによって、ピット５内に不陸が生じたときの影響が大きく、図５に示すように、貯留材１０Ａ同士が揃いにくくなり易い。仮に、コンクリート製の緩衝板を貯留材１０Ａの上に配置すると、本来、緩衝板と貯留材１０Ａとがシート２を介して接するべき箇所に空間ができ、緩衝板が貯留材１０Ａに対して均一に接しないおそれがある。しかし、本実施形態のように、緩衝板３０が弾性体４０を備えることによって、弾性体４０が変形することで上記空間ができることはなく、緩衝板３０の弾性体４０が貯留材１０Ａに間接的に均一に接する。その結果、貯留材１０Ａにかかる荷重を良好に分散させることができる。また、貯留材１０Ａが多少傾いていたとしても、弾性体４０が変形することによって、緩衝板３０を水平に保つことができ、緩衝板３０が地表面からの荷重を好適に受け止めることができる。
【００４６】
本実施形態では、複数の貯留材１０Ａは、縦に並ぶように積み重ねて配置され、緩衝板３０は、複数の貯留材１０Ａのうち、最も上に配置されている貯留材１０Ａの上に配置されている。複数の貯留材１０Ａは、縦に並ぶように積み重ねて配置されているため、ピット５内に不陸があると貯留材１０Ａ同士が適切に重なり合わなくなるため、横に並ぶように配置されている貯留材１０Ａ同士が揃いにくくなる。しかし、緩衝板３０が弾性体４０を備えることにより、弾性体４０が変形することによって、緩衝板３０の弾性体４０と貯留材１０Ａとが間接的に均一に接する。その結果、貯留材１０Ａにかかる荷重を良好に分散させることができる。
【００４７】
本実施形態の複数の貯留材１０Ａは、樹脂材料によって構成されている。樹脂材料によって構成された貯留材１０Ａは、荷重がかかることによって変形し易い。しかし、複数の貯留材１０Ａの上に緩衝板３０が配置されているため、緩衝板３０によって貯留材１０Ａにかかる荷重を分散させることができる。その結果、樹脂材料で構成された貯留材１０Ａであっても、変形することを防止できる。
【００４８】
本実施形態では、緩衝板３０は、図３に示すように、ベース板３６を備えており、ベース板３６には、支持部材３７によって複数の弾性体４０が取り付けられ、かつ、支持部材３７、外枠３４および弾性体４０に囲まれた複数の透水孔３８が形成されている。このことによって、弾性体４０が複数設けられているため、緩衝板３０は貯留材１０Ａの上面の凸凹に追従して弾性変形し易くなる。よって、地表面からの集中荷重がかかった場合、貯留材１０Ａにかかる荷重を好適に分散させることができる。また、ベース板３６には複数の透水孔３８が形成されているため、雨水がベース板３６の複数の透水孔３８を通過することによって、雨水を貯留材１０Ａに導入することができる。
【００４９】
また、本実施形態では、緩衝板３０は、樹脂材料によって構成されている。本実施形態の緩衝板３０は、コンクリートによって構成されている緩衝板と異なり、軽量である。よって、事前に緩衝板３０を作製しておき、作製した緩衝板３０を施工現場に運搬することが容易である。したがって、施工現場での作業負担を軽減することができる。
【００５０】
本実施形態の貯留浸透槽１Ａは、図４に示すように、緩衝板３０と貯留材１０Ａとの間に配置され、緩衝板３０と貯留材１０Ａとの間の周囲の少なくとも一部を封止するシール部材４４を備えている。詳しくは、シール部材４４は、緩衝板３０の外枠３４と貯留材１０Ａの天板１５との間に配置されている。シール部材４４によって、緩衝板３０を通った雨水が貯留材１０Ａに流れ込まずに外へ流れることを防ぐことができる。その結果、貯留材１０Ａに雨水を好適に貯めることができる。
【００５１】
本実施形態では、貯留浸透槽１Ａは、土を被せることによって地中に埋設されていた。すなわち、貯留浸透槽１Ａの上には土が載せられている。しかし、貯留浸透槽１Ａは、透水性を有するコンクリートが上に載せられていてもよい。この場合、上記コンクリートに雨水が導入されるため、その雨水は、緩衝板３０を介して貯留材１０Ａへ導入される。また、上記コンクリートに集中荷重がかかった場合、緩衝板３０の弾性体４０が変形することで、荷重を分散させることができる。
【００５２】
以上、第１実施形態に係る貯留浸透槽１Ａについて説明した。なお、本発明に係る貯留浸施設は、第１実施形態に係る貯留浸透槽１Ａに限らず、他に種々の形態で実施することができる。次に、本発明に係る貯留浸透施設を利用した他の実施形態について簡単に説明する。
【００５３】
＜第２実施形態＞
第１実施形態では、貯留浸透槽１Ａの上、すなわち、緩衝板３０の上には土が被せられていた。しかし、貯留浸透槽の上に側溝を配置してもよい。そこで、第２実施形態では、貯留浸透槽と、側溝とを備える側溝構造体について説明する。なお、第１実施形態と同様の構成箇所には同じ符号を付し、その説明は適宜省略する。
【００５４】
図６は、本実施形態に係る側溝構造体１００の正面図である。図７は、本実施形態に係る側溝構造体１００の側面図である。図８は、本実施形態に係る側溝構造体１００の平面図であり、側溝５０の一部を欠切した図である。なお、図６および図７において、符号ＧＬとは地表面のことである。図６に示すように、本実施形態に係る側溝構造体１００は、道路側部に配置されており、道路上の雨水を一時的に貯留浸透施設１Ｂに貯留させてから地中に浸透させるものである。
【００５５】
側溝構造体１００は、貯留浸透施設である貯留浸透槽１Ｂと、貯留浸透槽１Ｂの上に配置されている側溝５０とを備えている。図７に示すように、貯留浸透槽１Ｂは、互いに連結された複数の貯留材１０Ｂと、複数の貯留材１０Ｂの上に配置された緩衝板３０と、複数の貯留材１０Ｂを覆う透水性のシート２とを備えている。貯留浸透槽１Ｂは、第１実施形態と同様に、地表面を掘って形成したピット５に透水性のシート２を敷き、そのシート２の上に複数の貯留材１０Ｂを設置した後、それら貯留材１０Ｂの上にシート２を被せ、貯留材１０Ｂの上に被せたシート２の上に緩衝板３０を設置することによって構成されている。本実施形態では、貯留材１０Ｂは溝状のピット５に配置され、貯留材１０Ｂは一方向に連結されている。貯留材１０Ｂは、直線状に配列されている。なお、図７では、３つの貯留材１０Ｂのみを図示しているが、実際には４つ以上の貯留材１０Ｂが設置されている。ただし、貯留材１０Ｂの設置個数は何ら限定されない。なお、本実施形態の側溝構造体１００は、複数の貯留材１０Ｂが横に並ぶように配置されているが、第１実施形態の複数の貯留材１０Ａが横に並ぶように配置されるものであってもよい。
【００５６】
貯留材１０Ｂは、縦長の略直方体形状に形成されており、内部に空間が形成されている。ただし、貯留材１０Ｂは内部に空間が形成された形状を有していればよく、貯留材１０Ｂの形状は縦長の略直方体形状に限定されない。貯留材１０Ｂの形状は横長の略直方体形状であってもよく、略立方体形状であってもよく、その他の形状であってもよい。
【００５７】
以下の説明では、図６の手前側、奥側をそれぞれ前側、後側とする。貯留材１０Ｂは、底板１２０、前板１１３、後板１１４（図７参照）、側板１１５、１１６および天板１１７から構成されている。底板１２０および天板１１７は上方から見て略正方形状に形成されている。前板１１３、後板１１４および側板１１５、１１６は側方から見て上下方向に長い略長方形状に形成されている。底板１２０の側端部には、図示しない溝が形成されており、その溝に前板１１３、後板１１４および側板１１５、１１６の下端部が挿入されている。前板１１３と後板１１４とは互いに対向している。側板１１５と側板１１６とは互いに対向している。前板１１３、後板１１４および側板１１５、１１６の上端部に天板１１７が配置されている。前板１１３にはメンテナンス孔１１８が形成されていてもよい。メンテナンス孔１１８は、メンテナンス用の機器（例えば、貯留材１０Ｂの内部を観察するための自走式カメラ、貯留材１０Ｂの底部に溜まった泥を洗浄するジェットノズル等）を貯留材１０Ｂの外部から内部に導入し、また、内部から外部に導出する役割を果たす。図示は省略するが、後板１１４にも同様のメンテナンス孔１１８が形成されている。図７に示すように、複数の貯留材１０Ｂは、一方の貯留材１０Ｂの前板１１３と、他方の貯留材１０Ｂの後板１１４とが隣合うように配置されている。
【００５８】
貯留材１０Ｂには、貯留材１０Ｂの内部の空間および外部に繋がる複数の透水孔１２が形成されている。本実施形態では、前板１１３、後板１１４および側板１１５、１１６に複数の透水孔１２が形成されている。この透水孔１２の形状は特に限定されないが、本実施形態では丸孔である。また、図示は省略するが、天板１１７にも複数の透水孔１２が形成されている。
【００５９】
本実施形態の緩衝板３０は、貯留材１０Ｂの上に配置され、透水性を有する。そして、緩衝板３０は、貯留材１０Ｂと間接的に接する複数の弾性体４０を有しており、かつ、複数の透水孔３８が形成されたベース板３６を備えている。本実施形態の緩衝板３０は、第１実施形態の緩衝板と同様のため、より詳しい説明は省略する。
【００６０】
緩衝板３０の上には、側溝５０が配置されている。側溝５０は、複数の側溝ブロック５１から構成されている。側溝ブロック５１は、直線状に配置されている。なお、図７では、３つの側溝ブロック５１のみを図示しているが、実際には４つ以上の側溝ブロック５１が緩衝板３０の上に設置されている。本実施形態では、側溝ブロック５１は、底壁５２と、２つの側壁５４と、蓋５６とを備えている。底壁５２は、緩衝板３０の上に配置されている。２つの側壁５４は、底壁５２から立ち上がり、互いに対向している。底壁５２と側壁５４とは、一体で形成されている。図６に示すように、側溝ブロック５１は、底壁５２および側壁５４によって、Ｕ字状に形成されている。側溝ブロック５１の側壁５４の長手方向における両側端部側は開口している。側壁５４の上部には、段差部５５が形成されており、その段差部５５に蓋５６が支持されている。蓋５６の上面は、地表面と略面一となっている。すなわち、蓋５６の上面は、地中に埋設されていない。また、図８に示すように、蓋５６の横には切欠が設けられ、蓋５６を横に並ぶように配置することで孔５７が形成されている。孔５７は、道路の雨水を側溝ブロック５１の中に導入するための孔である。底壁５２には、側溝孔５８が形成されている。側溝孔５８は、側溝５０の側溝ブロック５１内の雨水を緩衝板３０に導入するための孔である。側溝孔５８の形状は特に限定されないが、本実施形態では、略長方形状をしている。また、本実施形態では、側溝孔５８は、側溝ブロック５１の底壁５２に一つ形成されているが、複数形成されていてもよい。このように、側溝孔５８が形成されていることで、側溝５０は透水性を有している。
【００６１】
図６に示すように、本実施形態に係る側溝構造体１００は、シール部材４６を備えていてもよい。シール部材４６は、緩衝板３０と側溝５０との間の少なくとも一部を封止するものである。図８に示すように、シール部材４６は、側溝ブロック５１の底壁５２の側溝孔５８の両側方にそれぞれ配置され、側溝５０の長手方向に直線状に延びるものである。本実施形態では、２本のシール部材４６が配置されている。シール部材４６は、平面視において側溝５０の側溝孔５８と重ならないように配置されている。本実施形態では、シール部材４６は、緩衝板３０と別体で形成され、緩衝板３０に取り付けられているが、シール部材４６と緩衝板３０とは一体で形成されていてもよい。
【００６２】
このように、本実施形態に係る側溝構造体１００は、貯留材１０Ｂの上にシート２を介して緩衝板３０が配置された貯留浸透槽１Ｂと、貯留浸透槽１Ｂの緩衝板３０の上に配置され、透水性を有する側溝５０とを備えている。このことによって、不陸が生じたピット５内に貯留材１０Ｂを配置する場合、貯留材１０Ｂの上に弾性体４０を有する緩衝板３０が配置されているため、緩衝板３０の上面は略水平となる。そのため、緩衝板３０の上に側溝５０を配置した場合、側溝５０の上面と地表面とが面一になり易い。また、緩衝板３０と貯留材１０Ｂとがシート２を介して間接的に均一に接しているため、側溝５０がぐらつくことなく緩衝板３０の上に配置される。貯留材１０Ｂの上に側溝５０を配置しているため、側溝５０自体の荷重および地上からの荷重が貯留材１０Ｂにかかることになる。しかし、貯留材１０Ｂと側溝５０との間には緩衝板３０があるため、貯留材１０Ｂにかかる荷重を分散することができる。その結果、貯留材１０Ｂが変形すること、または、壊れることを防止することができる。
【００６３】
また、本実施形態では、側溝５０は、複数の側溝ブロック５１から構成されている。側溝ブロック５１は、側溝孔５８が形成された底壁５２を備えており、側溝構造体１００は、側溝ブロック５１の底壁５２と緩衝板３０との間にシール部材４６を備えている。シール部材４６は、底壁５２の側溝孔５８の両側方にそれぞれ配置され、側溝５０の長手方向に延びる部材である。このことによって、側溝５０の側溝孔５８から流れる雨水が、緩衝板３０の外へ流れることを防止することができる。その結果、側溝５０の側溝孔５８から流れる雨水を緩衝板３０を介して貯留材１０Ｂに効率よく導入することができる。
【００６４】
＜他の実施形態＞
上記各実施形態に係る貯留浸透槽１Ａ、１Ｂは、雨水受け４８を備えていてもよい。雨水受け４８は、地中に浸透している雨水を受け止める部材である。図９は、雨水受け４８が取り付けられた緩衝板３０を示す図であり、図９（ａ）は、雨水受け４８の幅方向における側面図であり、図９（ｂ）は、雨水受け４８の平面図である。図９（ｂ）に示すように、雨水受け４８は緩衝板３０の長手方向の側端部に取り付けられている。しかし、雨水受け４８は、緩衝板３０の長手方向の側端部の一方のみに取り付けられていてもよいし、緩衝板３０の幅方向の側端部に取り付けられていてもよく、その取り付け位置は特に限定されない。雨水受け４８は、緩衝板３０の側端部から外側へ拡がるものである。雨水受け４８は、上方から見て略長方形状である。図９（ａ）に示すように、雨水受け４８は、その途中から緩衝板３０の外側に向かう程、上方に向かうように延びている。しかし、雨水受け４８の形状は、特に限定されない。また、雨水受け４８は、緩衝板３０と別体であるが、雨水受け４８と緩衝板３０とは一体で形成されていてもよい。雨水受け４８の構成材料は特に限定されないが、例えば、雨水受け４８は樹脂材料によって構成されている。
【００６５】
この雨水受け４８によって、緩衝板３０の上から流れてくる雨水Ｗａだけでなく、緩衝板３０の斜め上から流れてくる雨水Ｗｂを貯留材１０Ａ、１０Ｂに導入することができる。その結果、より多くの雨水を貯留材１０Ａ、１０Ｂに導入することができる。
【００６６】
＜変型例＞
上記各実施形態では、緩衝板３０は、透水性を有しており、複数の弾性体４０と、弾性体４０が取り付けられた格子状のベース板３６とを備えていた。しかし、本発明の緩衝板は、上記構成に限定されない。本発明の緩衝板は、例えば、図１０〜図１３に示す第１変型例〜第４変型例の緩衝板であってもよい。図１０は、第１変型例に係る緩衝板３０Ａを示す図であり、図１０（ａ）は第１変型例に係る緩衝板３０Ａの側面図であり、図１０（ｂ）は第１変型例に係る緩衝板３０Ａの平面図である。図１０（ａ）に示すように、第１変形例に係る緩衝板３０Ａは、複数の弾性体４０Ａと、２枚の対向するベース板３６ａ、３６ｂを備えている。ベース板３６ａ、３６ｂは透水性を有している。ベース板３６ａ、３６ｂは、例えば格子状に形成されていてもよく、複数の孔が形成された板であってもよい。ベース板３６ａ、３６ｂの間に弾性体４０Ａが取り付けられている。図１０（ｂ）に示すように、複数の弾性体４０Ａは、長手方向および幅方向に配列されている。複数の弾性体４０Ａは、散点的に配置されている。複数の弾性体４０Ａは等間隔でベース板３６ａ、３６ｂに配置されている。ただし、複数の弾性体４０Ａは等間隔で配置されていなくてもよい。
【００６７】
図１１は、第２変型例に係る緩衝板３０Ｂを示す図であり、図１１（ａ）は、第２変型例に係る緩衝板３０Ｂの分解斜視図であり、図１１（ｂ）は、第２変型例に係る緩衝板３０Ｂを示す斜視図である。図１１（ｂ）に示すように、第２変型例に係る緩衝板３０Ｂは、弾性体４０Ｂと、第１変形例と同様の透水性を有するベース板３６ａ、３６ｂとを備えている。第２変型例に係る緩衝板３０Ｂの弾性体４０Ｂは、図１１（ａ）に示すように、平面視において、ベース板３６ａ、３６ｂと略同じ大きさであり、ゴム板である。ベース板３６ａ、３６ｂの間に弾性体４０Ｂが取り付けられている。なお、第２変型例に係る緩衝板３０Ｂは、弾性体４０Ｂのみで構成されていてもよい。この場合、弾性体４０Ｂが透水性を有するゴム板、格子状のゴム板または孔が形成されたゴム板等を用いることができる。
【００６８】
図１２は、第３変型例に係る緩衝板３０Ｃを示す図であり、図１２（ａ）は、第３変型例に係る緩衝板３０Ｃの分解斜視図であり、図１２（ｂ）は、第３変型例に係る緩衝板３０Ｃを示す斜視図である。図１２（ａ）に示すように、第３変型例に係る緩衝板３０Ｃは、棒状の複数の弾性体４０Ｃと、第１変形例と同様の透水性を有するベース板３６ａ、３６ｂとを備えている。図１２（ｂ）に示すように、第３変形例に係る複数の弾性体４０Ｃは、長手方向に延びている。しかし、複数の弾性体４０Ｃは、幅方向に延びていてもよいし、斜め方向に延びていてもよい。複数の弾性体４０Ｃは、横に並ぶように等間隔でベース板３６ａ、３６ｂの間に取り付けられている。しかし、複数の弾性体４０Ｃは、等間隔に横に並んでいなくてもよく、例えば、緩衝板３０Ｃの側端部にいくほど間隔を狭めるようにして複数の弾性体４０Ｃを配置してもよい。
【００６９】
図１３は、第４変型例に係る緩衝板３０Ｄを示す斜視図である。図１３に示すように、第４変型例に係る緩衝板３０Ｄは、複数の弾性体４０Ｄと、透水性を有するベース板３６ｃとを備えている。第４変型例の弾性体４０Ｄは、ばねである。第４変型例のベース板３６ｃには、複数の孔が等間隔に形成されており、この孔に弾性体４０Ｄが上下方向に伸縮するように取り付けられている。この場合、ベース板３６ｃに形成された孔は、雨水を通す役割も果たす。複数の弾性体４０Ｄは、長手方向および幅方向に等間隔で配置されている。なお、第４変形例の弾性体４０Ｄは、等間隔に配置されていなくてもよく、例えば、緩衝板３０Ｄの側端部にいくほど間隔を狭めるようにして、複数の弾性体４０Ｄを配置してもよい。
【００７０】
このような第１変型例〜第４変型例の緩衝板であっても、第１実施形態および第２実施形態の緩衝板３０と同様の効果が得られる。なお、第１変形例〜第４変形例の緩衝板は、平面視において、略四角形状であるが、その形状は特に限定されない。また、本発明の緩衝板は透水性を有しているが、緩衝板は、緩衝板の構成材料自体に透水性を有していてもよいし、緩衝板の構成材料自体には透水性を有しておらず、かつ、雨水を通すような構造（例えば、上記各実施形態のように、緩衝板に透水孔を形成する構造）を有していてもよい。
【００７１】
上記各実施形態では、緩衝板３０の大きさは、複数の貯留材１０Ａまたは１０Ｂを横に並ぶように配置したときの平面視において、複数の貯留材１０Ａまたは１０Ｂが隠れるような大きさであった。すなわち、緩衝板３０は、１枚の板状であった。しかし、本発明に係る緩衝板は、複数の板で構成されていてもよい。例えば、１個の貯留材１０Ａまたは１０Ｂの上に配置されるような大きさの緩衝板３０であって、各段において横に並ぶ貯留材１０Ａまたは１０Ｂの数の緩衝板３０によって構成されていてもよいし、複数（例えば２個）の貯留材１０Ａまたは１０Ｂの上に配置されるような大きさの緩衝板３０であってもよいし、異なる大きさの複数の板から構成された緩衝板３０であってもよい。複数の板から構成された緩衝板３０の場合、施工現場で緩衝板３０を組み立てることが可能である。それによって、施工現場へ緩衝板３０を運搬することが容易となる。
【００７２】
上記各実施形態および第１〜第３変型例では、緩衝板の弾性体はゴム製であり、第４変型例では、緩衝板の弾性体はばねであった。しかし、本発明の弾性体は、少なくとも上下方向に伸縮する弾性体であればよい。そのため、本発明の弾性体は、任意の容器にジェルまたは空気を入れて、上下方向に伸縮させるようなもの（例えば、空気ばね）であってもよい。また、本発明の弾性体は、上記各実施形態および上記各変形例の何れかを組み合わせたものであってもよい。例えば、弾性体は、ゴムとばねを組み合わせたものであってもよい。
【００７３】
上記各実施形態では、緩衝板は、シート２の上、すなわち、シート２の外に配置されていた。しかし、緩衝板は、貯留材の上であって、シート２の下に配置されていてもよい。この場合、緩衝板は、シート２の中に配置されている。すなわち、緩衝板は、第１実施形態では貯留材１０Ａ、第２実施形態では貯留材１０Ｂと直接接するように配置されていてもよい。この場合、第２実施形態では、側溝５０は、シート２を介して緩衝板の上に配置されている。この場合でも、上記各実施形態と同様の効果が得られる。また、緩衝板をシート２の中に配置することによって、緩衝板の透水孔に泥等が詰まることを防止することができる。
【００７４】
第１実施形態では、貯留材１０Ａは、内部に空間が形成され、底が開口しているハット形状であり、第２実施形態では、貯留材１０Ｂは、内部に空間が形成され、縦長の略直方体形状であった。しかし、本発明の貯留材は、水を貯留可能であればその形状は限定されない。例えば、本発明の貯留材は、天板と、上記天板の下面に取り付けられ、上下方向に延びる棒状の支持部材とを備え、中空構造に形成されているものでもよい。上記支持部材は、上記天板に複数設けられていてもよい。また、上記支持部材の上記天板の下面の取り付け位置は特に限定されず、例えば、上記天板の下面の側端部に取り付けられていてもよい。また、上記支持部材は、上下方向に延びる板状の部材であってもよい。また、本発明の貯留材は、中空構造に形成された有底の容器状であり、透水孔が形成されているものでもよい。これらのような貯留材であっても、シート内に複数の上記貯留材を横および縦に並ぶように配置することで、上記貯留材の中に雨水を貯留することができる。また、本発明の貯留材は、平板を複数の連続する山形に折り曲げ、山頂部と谷部に嵌合用の凹部を設けたものであって、複数の上記貯留材を井桁状に積み重ねられるように形成したものであってもよい。このような貯留材であっても、上記貯留材の中に雨水を貯留することができる。
【００７５】
上記各実施形態に係る貯留浸透施設は、雨水を一時的に貯留してから地中に浸透させる貯留浸透槽１Ａ、１Ｂであった。しかし、貯留浸透施設は少なくとも一時的に水を溜める機能を有するものであればよく、貯留浸透槽に限定される訳ではない。本発明に係る貯留浸透施設が溜める水は雨水に限定されない。
【符号の説明】
【００７６】
１Ａ、１Ｂ  貯留浸透槽（貯留浸透施設）
２  シート
１０Ａ、１０Ｂ  貯留材
１２  透水孔
３０、３０Ａ、３０Ｂ、３０Ｃ、３０Ｄ  緩衝板
３６、３６ａ、３６ｂ、３６ｃ  ベース板
３８  透水孔
４０、４０Ａ、４０Ｂ、４０Ｃ、４０Ｄ  弾性体
４４  シール部材
４６  シール部材
４８  雨水受け
５０  側溝
５１  側溝ブロック
５２  底壁
５８  側溝孔
１００  側溝構造体
【図１】
2014125828.tif 000003
【図２】
2014125828.tif 000004
【図３】
2014125828.tif 000005
【図４】
2014125828.tif 000006
【図５】
2014125828.tif 000007
【図６】
2014125828.tif 000008
【図７】
2014125828.tif 000009
【図８】
2014125828.tif 000010
【図９】
2014125828.tif 000011
【図１０】
2014125828.tif 000012
【図１１】
2014125828.tif 000013
【図１２】
2014125828.tif 000014
【図１３】
2014125828.tif 000015